(57)【要約】【課題】製品設計における部品選択の自由度が増し、かつ安価な部品を使用することが可能となる光ディスク装置を提供することを目的とする。【解決手段】本発明の光ディスク装置は、少なくとも、筐体と、筐体に収納、引き出し自在に設けられたトレイ３と、トレイ３に設けられたスピンドルモータ４ａと、前記トレイ３に設けられた光ピックアップ５と、筐体とトレイ３に設けられたコネクタ４ｄ（もしくは９ｂ）に接続され、信号または電力の少なくとも一方を伝達可能とするフレキシブルケーブル２０とを備えた光ディスク装置であって、フレキシブルケーブル２０は、少なくとも一方のコネクタ４ｄ（もしくは９ｂ）から他方のコネクタ９ｂ（もしくは４ｄ）と相反する方向に引き出され、曲げ返し部３２を介して、他方のコネクタに接続されることを特徴とする。【選択図】図２
2005339707.tif 000002
【特許請求の範囲】
【請求項１】
少なくとも、筐体と、前記筐体に収納、引き出し自在に設けられたトレイと、前記トレイに設けられた回転駆動手段と、前記トレイに設けられた光ピックアップと、前記筐体と前記トレイに設けられたコネクタに接続され、信号または電力の少なくとも一方を伝達可能とするフレキシブルケーブルとを備えた光ディスク装置であって、
前記フレキシブルケーブルは、少なくとも一方のコネクタから他方のコネクタと相反する方向に引き出され、曲げ返し部を介して、他方のコネクタに接続されることを特徴とする光ディスク装置。
【請求項２】
少なくとも、筐体と、前記筐体に収納、引き出し自在に設けられたトレイと、前記トレイに設けられた回転駆動手段と、前記トレイに設けられた光ピックアップと、前記筐体と前記トレイに設けられたコネクタに接続され、信号または電力の少なくとも一方を伝達可能とするフレキシブルケーブルとを備えた光ディスク装置であって、
前記フレキシブルケーブルは、一方のコネクタから他方のコネクタと相反する方向に引き出され、第１の曲げ返し部を介して、他方のコネクタの方向に延設され、第２の曲げ返し部を介して、他方のコネクタに接続されることを特徴とする光ディスク装置。
【請求項３】
前記曲げ返し部は、略Ｕ字状もしくは略Ｖ字状であることを特徴とする請求項１，２いずれか１項に記載の光ディスク装置。
【請求項４】
前記フレキシブルケーブルは、平帯状ケーブルであることを特徴とする請求項１〜３いずれか１項に記載の光ディスク装置。
【請求項５】
前記フレキシブルケーブルは、フレキシブルプリントケーブルまたはフレキシブルフラットケーブルであることを特徴とする請求項１〜４いずれか１項に記載の光ディスク装置。
【請求項６】
前記曲げ返し部の厚みを筐体側に逃がす、逃がし部を筐体に設けたことを特徴とする請求項１〜５いずれか１項に記載の光ディスク装置。
【請求項７】
前記筐体は、２つの筐体部で構成されたことを特徴とする請求項１〜６いずれか１項に記載の光ディスク装置。
【発明の詳細な説明】
【技術分野】
【０００１】
本発明は、光ピックアップにより光ディスクに対して情報の記録又は再生の少なくとも一方を行なう光ディスク装置に関するものである。
【背景技術】
【０００２】
電子機器に搭載されるＣＤ−ＲＯＭ／Ｒ／ＲＷ、ＤＶＤ−ＲＯＭ／ＲＡＭ／Ｒ／ＲＷなどの光ディスク装置のディスク装着方法としては、筐体よりトレイが引き出され、このトレイにディスクを取り付け、再び筐体に戻して装着する方式（以下トレイ方式と称する）が一般的である。以下、従来のトレイ方式光ディスク装置の構成について、図１２、図１３を参照して説明する。
【０００３】
図１２は従来のトレイ方式光ディスク装置の外観図、図１３は従来のトレイ方式光ディスク装置の図で、図１３（ａ）が上部筐体部２ａを除去した正面図であり、図１３（ｂ）が図１３（ａ）のＰ−Ｐ断面図である。光ディスク装置１には筐体２及びトレイ３があり、図１２、図１３は筐体２からトレイ３を引き出した状態を示している。筐体２は上部筐体部２ａと下部筐体部２ｂから構成されている。トレイ３には光ピックアップモジュール（ＰＵＭ）４が設けられている。光ピックアップモジュール４には光学系を構成した光ピックアップ５とディスクを回転させるスピンドルモータ４ａ及び制御回路を構成するＰＵＭ側回路基板４ｃが構成されている。スピンドルモータ４ａにはディスク装着部４ｂがあり、ディスクを装着し回転駆動させる。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【０００４】
筐体２の下部筐体部２ｂには制御回路を構成する筐体側回路基板９が設けられている。筐体側回路基板９には、外部からの電力の供給と信号の入出力を行うコネクタ９ａが設けられている。筐体側回路基板９とトレイ３に設けられたＰＵＭ側回路基板４ｃとはフレキシブルプリントケーブル１０で結線されている。さらに筐体側回路基板９とフレキシブルプリントケーブル１０はコネクタ９ｂにて接続されており、ＰＵＭ側回路基板４ｃとフレキシブルプリントケーブル１０はコネクタ４ｄにて接続されている。フレキシブルプリントケーブル１０は略Ｕ字形をしており、その一方の腕が折り返されてＰＵＭ側回路基板４ｃに結線されている。折り返し部１０ａはトレイ３の出し入れとともにトレイ３の出し入れ方向に平行して移動する。これによって、フレキシブルプリントケーブル１０は、トレイ３を筐体２に収納した状態であっても、またトレイ３を最大に引き出した状態であっても、光ディスク装置１の他の部材に衝突することなく、結線状態を維持することが出来る。
【０００５】
先行例としては、（特許文献１）等がある。
【特許文献１】特許第３０７９９５９号公報
【発明の開示】
【発明が解決しようとする課題】
【０００６】
フレキシブルプリントケーブル１０の端部のコネクタ９ｂ、４ｄ等との接点となる導体露出部は、銅箔が設けられたフレキシブルプリントケーブルの場合、一般的に銅箔側の片面に設けられる。したがって、筐体側回路基板９及びＰＵＭ側回路基板４ｃに実装されフレキシブルプリントケーブル１０を接続するコネクタ９ｂ、４ｄの接点は、ともにこの導体露出部に接するように設けられていなければならない。しかし、通常、筐体側回路基板
９及びＰＵＭ側回路基板４ｃは、コネクタ９ｂ、４ｄが基板の表面に実装できるか裏面に実装できるかが部品高さや実装スペースの制限などにより決まってしまうことが多く、結果的にフレキシブルプリントケーブル１０の導体露出部がコネクタ９ｂ、４ｄに対しどちら向きになるかが決まってしまう。
【０００７】
一方、コネクタ９ｂ、４ｄについては、図１１のコネクタの接点方向を表した図や図１４の従来の光ディスク装置のフレキシブルケーブルとコネクタを示す断面図に示したように、導体露出部と接触する接点が基板取り付け側にある下接点タイプ（図１１（ａ）、図１４（ａ））とその逆の上接点タイプ（図１１（ｂ）、図１４（ｂ））があり、適当なタイプを選択することによって、例えば筐体側回路基板９とＰＵＭ側回路基板４ｃでコネクタを実装する面が異なっていても、フレキシブルプリントケーブル１０を両方の基板に接続することは可能である。
【０００８】
しかしながら、下接点タイプと上接点タイプコネクタの高さは必ずしも一緒ではなく、また常に両タイプが容易に入手できるわけではない。したがって、製品設計の際、コネクタの選定や実装位置を決める上で、著しく制約を受けることがあった。
【０００９】
また、フレキシブルプリントケーブル１０が端部の導体露出部をケーブルの両面に設けた両面パターンの場合は、このような課題は生じないが、上記のような片面のみにしか導体露出部を設けていないフレキシブルプリントケーブルに比べ製品単価が高くなってしまう。
【００１０】
本発明は、上記課題を解決するものであり、製品設計における部品選択の自由度が増し、かつ安価な部品を使用することが可能となる光ディスク装置を提供することを目的とする。また、同時にフレキシブルケーブルが接続された回路基板を交換する必要性が生じた場合、容易に交換が可能となる光ディスク装置を提供することを目的とする。
【課題を解決するための手段】
【００１１】
本発明は、少なくとも、筐体と、前記筐体に収納、引き出し自在に設けられたトレイと、前記トレイに設けられた回転駆動手段と、前記トレイに設けられた光ピックアップと、前記筐体と前記トレイに設けられたコネクタに接続され、信号または電力の少なくとも一方を伝達可能とするフレキシブルケーブルとを備えた光ディスク装置であって、前記フレキシブルケーブルは、少なくとも一方のコネクタから他方のコネクタと相反する方向に引き出され、曲げ返し部を介して、他方のコネクタに接続されることを特徴とするものであるか、もしくは少なくとも、筐体と、前記筐体に収納、引き出し自在に設けられたトレイと、前記トレイに設けられた回転駆動手段と、前記トレイに設けられた光ピックアップと、前記筐体と前記トレイに設けられたコネクタに接続され、信号または電力の少なくとも一方を伝達可能とするフレキシブルケーブルとを備えた光ディスク装置であって、前記フレキシブルケーブルは、一方のコネクタから他方のコネクタと相反する方向に引き出され、第１の曲げ返し部を介して、他方のコネクタの方向に延設され、第２の曲げ返し部を介して、他方のコネクタに接続されることを特徴とするものである。
【発明の効果】
【００１２】
本発明は上記構成により、フレキシブルケーブルが、少なくとも一方のコネクタから他方のコネクタと相反する方向に引き出され、曲げ返し部を介して、他方のコネクタに接続されるか、もしくはフレキシブルケーブルが、一方のコネクタから他方のコネクタと相反する方向に引き出され、第１の曲げ返し部を介して、他方のコネクタの方向に延設され、第２の曲げ返し部を介して、他方のコネクタに接続されることによって導体露出部を反対側（天地逆）にすることができること、もしくは使用するコネクタの制限を受けることを回避することが可能となる場合があるため、コネクタの接点向きの制限に起因するコネク
タ選択の自由度を増すことができる。
【００１３】
また、フレキシブルケーブルは、端部の導体露出部が両面に設けられたフレキシブルケーブルや端部の導体露出部が一方の導体露出部と他方の導体露出部で異なる面に配置されたフレキシブルケーブルを用いることなく、端部の導体露出部が片面のみである片面フレキシブルケーブルなどを用いることができるため、生産性が高く、安価なフレキシブルケーブルにすることができる。これによって、光ディスク装置の製品単価を下げることができる。例えば、フレキシブルケーブルがフレキシブルプリントケーブルの場合、原板からの取り数を多くすることができる。
【００１４】
これらのことにより、製品設計における部品選択の自由度が増し、かつ安価な部品を使用することが可能となる光ディスク装置を実現することができる。また、同時にフレキシブルケーブルが接続された基板を交換する必要性が生じた場合、容易に交換が可能となる光ディスク装置を実現することができる。
【発明を実施するための最良の形態】
【００１５】
請求項１記載の発明は、少なくとも、筐体と、筐体に収納、引き出し自在に設けられたトレイと、トレイに設けられた回転駆動手段と、トレイに設けられた光ピックアップと、筐体とトレイに設けられたコネクタに接続され、信号または電力の少なくとも一方を伝達可能とするフレキシブルケーブルとを備えた光ディスク装置であって、フレキシブルケーブルは、少なくとも一方のコネクタから他方のコネクタと相反する方向に引き出され、曲げ返し部を介して、他方のコネクタに接続されることを特徴とするものであり、これにより、コネクタの接点向きの制限に起因するコネクタ選択の自由度を増すことができ、また、フレキシブルケーブルは、端部の導体露出部が片面のみである片面フレキシブルプリントケーブルなどを用いることができるため、生産性が高く、安価なフレキシブルケーブルを部品として使用することが可能な光ディスク装置を実現することが出来る。
【００１６】
請求項２記載の発明は、少なくとも、筐体と、筐体に収納、引き出し自在に設けられたトレイと、トレイに設けられた回転駆動手段と、トレイに設けられた光ピックアップと、筐体とトレイに設けられたコネクタに接続され、信号または電力の少なくとも一方を伝達可能とするフレキシブルケーブルとを備えた光ディスク装置であって、フレキシブルケーブルは、一方のコネクタから他方のコネクタと相反する方向に引き出され、第１の曲げ返し部を介して、他方のコネクタの方向に延設され、第２の曲げ返し部を介して、他方のコネクタに接続されることを特徴とするものであり、これにより、コネクタの接点向きの制限に起因するコネクタ選択の自由度を増すことができ、また、フレキシブルケーブルは、端部の導体露出部が片面のみである片面フレキシブルプリントケーブルなどを用いることができるため、生産性が高く、安価なフレキシブルケーブルを部品として使用することが可能な光ディスク装置を実現することが出来る。
【００１７】
請求項３記載の発明は、フレキシブルケーブルの曲げ返し部が、略Ｕ字状もしくは略Ｖ字状であることを特徴とするものであり、これにより、上記構成を最も短い長さのフレキシブルケーブルで達成することが可能な光ディスク装置を実現することができる。
【００１８】
請求項４記載の発明は、フレキシブルケーブルが平帯状ケーブルであることを特徴とするものであり、これにより、フレキシブルケーブルの厚みを薄くすることができ、薄型の光ディスク装置への対応が可能な光ディスク装置を実現することができる。
【００１９】
請求項５記載の発明は、フレキシブルケーブルがフレキシブルプリントケーブルまたはフレキシブルフラットケーブルであることを特徴とするものであり、これにより、いずれも厚みが薄く折り曲げが可能であり、薄型の光ディスク装置への対応が可能な光ディスク
装置を実現することができる。
【００２０】
請求項６記載の発明は、フレキシブルケーブルの曲げ返し部により、フレキシブルケーブルが重なって厚みが増した部分を筐体側に逃がす、逃がし部を筐体に設けたことを特徴とするものであり、これにより、フレキシブルケーブルが重なって厚みが増すことによる筐体の厚み増を回避することができ、薄型の光ディスク装置への対応が可能な光ディスク装置を実現することができる。
【００２１】
請求項７記載の発明は、筐体が２つの筐体部で構成されたものであり、これにより、曲げ返し部を設けることにより形成される腕部を有したフレキシブルケーブルと回路基板に設けられてコネクタの接続を容易にすることが可能な光ディスク装置を実現することができる。
【００２２】
以下、本発明の実施の形態について、図面を参照しながら説明する。
【００２３】
（実施の形態１）
図１は本発明の一実施の形態における光ディスク装置の外観図である。図２は本発明の一実施の形態における光ディスク装置の正面図であり、上部筐体部を除去した図である。図１、図２において、１は光ディスク装置、２は筐体、３はトレイ、４は光ピックアップモジュール、４ａはスピンドルモータ、４ｃはＰＵＭ側回路基板、５は光ピックアップ、６はレール部、７はレール、８はレールガイド、９は筐体側回路基板、２０はフレキシブルケーブルである。
【００２４】
光ディスク装置１には筐体２及びトレイ３があり、図１、図２は筐体２からトレイ３を引き出した状態を示している。
【００２５】
図１、図２において、筐体２は上部筐体部２ａと下部筐体部２ｂを組み合わせて袋状に構成されている。上部筐体部２ａと下部筐体部２ｂとは好ましくは螺旋などを用いて、互いに強固に固定されている。筐体２の構成材料としては鉄，鉄合金，アルミニウム，アルミニウム合金、マグネシウム合金等の金属材料や樹脂材料によって構成される。また、上部筐体部２ａ及び下部筐体部２ｂはそれぞれ同種の材料で構成しても良いし、異種の材料で構成しても良い。また、上部筐体部２ａ及び下部筐体部２ｂそれぞれの主平面部の平均肉厚は０．４ｍｍ〜１．６ｍｍの間であり、この平均肉厚の比較的薄い場合には上部筐体部２ａ及び下部筐体部２ｂは金属材料で構成され、例えば、金属板をプレス加工などによって形成される。また、平均肉厚の比較的厚い場合には上部筐体部２ａ及び下部筐体部２ｂは樹脂材料やダイカスト（アルミニウム合金など）で構成される。筐体２を樹脂材料で構成した場合には、光ディスク装置の軽量化を実現できる。３は筐体２に出没自在に設けられたトレイで、このトレイ３は樹脂製のフレームで構成され、光ピックアップモジュール４が設けられている。光ピックアップモジュール４には光学系を構成した光ピックアップ５とディスクを回転させるスピンドルモータ４ａ及び制御回路を構成するＰＵＭ側回路基板４ｃが構成されている。光ピックアップ５は、光ディスクに光を照射することで、光ディスクに情報を書き込むかあるいは情報を読み出す動作の少なくとも一方を行なう。スピンドルモータ４ａにはディスク装着部４ｂがあり、ディスクを装着し回転駆動させる。トレイ３の両側部にはレール部６があり、両側部共にレール７とディスク引き出し方向に摺動自在に嵌合している。また、レール７は筐体２両側部内面に設けられたレールガイドともディスク引き出し方向に摺動自在に嵌合しており、トレイ３は筐体２からディスクが着脱できるよう引き出すことが出来る。
【００２６】
筐体２の下部筐体部２ｂには制御回路を構成する筐体側回路基板９が設けられている。筐体側回路基板９には、外部からの電力の供給と信号の入出力を行うコネクタ９ａが設け
られている。筐体側回路基板９とトレイ３に設けられたＰＵＭ側回路基板４ｃとはフレキシブルケーブル２０で結線されている。フレキシブルケーブル２０の一端は筐体側回路基板９とコネクタ９ｂにて接続されており、他端はＰＵＭ側回路基板４ｃのコネクタ４ｄに接続されている。
【００２７】
以下、本発明の各部について、詳細に説明する。
【００２８】
まず、フレキシブルケーブル２０の構成について説明する。
【００２９】
図３は本発明の一実施の形態における光ディスク装置のフレキシブルケーブルの外観図であり折り曲げ前の図で、図３（ａ）は導体露出部側から見た図、図３（ｂ）は導体露出部と反対側から見た図である。図３において、２０ｃは筐体側導体露出部、２０ｄはＰＵＭ側導体露出部、４１ｂは接着層である。
【００３０】
フレキシブルケーブル２０は、折り曲げが可能なケーブルで、好ましくは平帯状のケーブルであり、さらに好ましくは被覆線を平帯状に重ねることなく並べて一体となった形状を成すケーブルが用いられる。その一例として、フレキシブルフラットケーブルであってもよい。被覆の材質は、塩化ビニル、ポリエチレンテレフタレート、ポリエステルやポリイミドが使用される。これらの被覆は、押し出し成型によって導線の周りに形成されたものであっても良いし、接することなく並べられた導線を上記被覆材のフィルムで挟み込んだものであっても良い。また、全体または部分的に銅箔やアルミ箔等の金属フィルムやフィルム状の導電性有機物を被覆の表面に貼り付けたものや、被覆の間に挟み込んだ構成であっても良い。こうすることによって、不要輻射対策が可能となる場合がある。またフレキシブルケーブル２０は１本の平帯状が望ましいが、部分的に隣接する被覆線が一体となっていない部分があってもよい。この場合この部分では複数の平帯状となるが、こうすることにより、ねじれに対する歪みを分散できる場合がある。
【００３１】
また、折り曲げが可能な絶縁性フィルムに銅などの導電性の金属を箔状にしたものを貼り付けて、導電線を形成したものであっても良い。この場合、導電性の金属を箔状にしたものの他、導電性の有機物をフィルム状にしたものであっても良い。その一例としてフレキシブルプリントケーブルであっても良い。１本の平帯状が望ましいが、部分的に導電部分を避けて長孔など貫通孔が設けられていても良い。こうすることにより、ねじれに対する歪みを分散できる場合がある。
【００３２】
フレキシブルケーブルは、折り曲げる前はほぼ平面形状を成しており、フレキシブルケーブル２０の端部に設けられた２つの導体露出部２０ｃ、２０ｄは、フレキシブルケーブル２０の同一面上に設けられている。これによって、フレキシブルケーブルがフレキシブルプリントケーブルの場合、従来製品設計の自由度を確保するために用いられていた端部の導体露出部が両面に設けられたフレキシブルプリントケーブルや端部の導体露出部が一方の導体露出部と他方の導体露出部で異なる面に配置されたフレキシブルプリントケーブルに比べ、製造に要する工数を削減することができるため、製造単価を下げることができる。
【００３３】
本実施の形態においては、フレキシブルケーブル２０に図３に示すような端部に導体露出部２０ｃ、２０ｄが同一平面状に設けられ所定量のカーブを成したフレキシブルプリントケーブルを用いたが、直線状で平面形状のフレキシブルプリントケーブルを用いると、所定量のカーブを成したフレキシブルプリントケーブルに比べて同サイズの原板からの取り数が増え、更に製造単価を下げることができる。また、本実施の形態では、直線平面状のフレキシブルプリントケーブルでは筐体側回路基板９やＰＵＭ側回路基板４ｃのコネクタ９ｂ、４ｄの位置にフレキシブルプリントケーブルの端部を位置させることができない
場合に、所定量のカーブを有するフレキシブルケーブルを用いることによって、フレキシブルプリントケーブルの端部をコネクタの位置に合わせることができる場合がある。
【００３４】
次に、光ディスク装置１にフレキシブルケーブル２０を取り付けた状態の構成について図２を用いて説明する。
【００３５】
フレキシブルケーブル２０は裏面の接着部２０ａによって、筐体２の下部筐体部２ｂに接着されるが、接着部２０ａは端部の筐体側導体露出部２０ｃ迄は達していない為、フレキシブルケーブル２０の筐体側導体露出部２０ｃ近傍は筐体２から浮かせて、コネクタ９ｂに接続される。接着部２０ａは、接着剤による接着や両面テープによる接着などが用いられるが、本実施の形態では、作業性を考慮して両面テープによる接着を行なっている。両面テープなどの接着層４１ｂは、導体露出部２０ｃ、２０ｄが配置されている面と反対側の面もしくは導体露出部２０ｃ、２０ｄが配置されている同一平面上の少なくとも一部に設けられる。
【００３６】
一方、フレキシブルケーブル２０のＰＵＭ側導体露出部２０ｄから接着部２０ａのＰＵＭ側端部２０ｅ迄は筐体２には接着されていない。ＰＵＭ側腕部２０ｂは筐体側回路基板９に向かって伸びているが、折り返し部２０ｆにて折り返されて、ＰＵＭ側導体露出部２０ｄがＰＵＭ側回路基板４ｃのコネクタ４ｄに接続されている。
【００３７】
図２はトレイ３を筐体２から最大限引き出した状態であるが、トレイ３を筐体２に収納するように移動させると、折り返し部２０ｆは筐体側回路基板９側に移動する。図２の中で二点鎖線は折り返し部２０ｆの移動範囲を示しており、トレイ３を完全に筐体２に収納した状態では図中Ｂの位置にある。筐体側回路基板９は、トレイ３を完全に筐体２に収納した状態においても折り返し部２０ｆと接触することの無いように逃がし部９ｃを設けている。また、トレイ３を筐体２に収納した状態において、折り返し部２０ｆはトレイ３の裏面と筐体２の下部筐体部２ｂに挟まれるように位置するが、フレキシブルケーブル２０の曲げに対する弾性によって、この状態においても折損することなく数ｍｍの折り返し半径を有している。
【００３８】
次に、フレキシブルケーブル２０とコネクタ４ｄ、９ｂの接続について説明する。
【００３９】
図４，図５，図６は、本発明の一実施の形態における光ディスク装置のフレキシブルケーブルとコネクタの接続を示す断面図であり、図４（ａ），図４（ｃ）は筐体側回路基板９にフレキシブルケーブル２０が接続された状態を示す図であり、図４（ｂ）、図４（ｄ）はＰＵＭ側回路基板にフレキシブルケーブル２０が接続された状態を示す図である。また、図５（ａ），図５（ｂ）は図４（ｃ）に下部筐体部２ｂとの接着に必要な接着層を設けたものであり、図６はフレキシブルケーブル２０が回路基板に設けられた貫通孔を通って回路基板裏面に出没した図である。図４〜図６において、９は筐体側回路基板、４ｃはＰＵＭ側回路基板、４ｄ，９ｂはコネクタ、２０ｃは筐体側導体露出部、２０ｄはＰＵＭ側導体露出部、３２は曲げ返し部、３３は腕部、３５は貫通孔、４１ａ，４１ｂは接着層、４２は保護シートである。コネクタ４ｄ、コネクタ９ｂは筐体側回路基板９とＰＵＭ側回路基板４ｃを結ぶフレキシブルケーブルの接続端子である。
【００４０】
フレキシブルケーブル２０は、少なくとも一方のコネクタ４ｄ（もしくは９ｂ）から他方のコネクタ９ｂ（もしくは４ｄ）と相反する方向に引き出され、曲げ返し部３２を介して、他方のコネクタに接続されるか、もしくはフレキシブルケーブル２０は、一方のコネクタ４ｄ（もしくは９ｂ）から他方のコネクタ９ｂ（もしくは４ｄ）と相反する方向に引き出され、第１の曲げ返し部を介して、他方のコネクタ４ｄ（もしくは９ｂ）の方向に延設され、第２の曲げ返し部を介して、他方のコネクタ４ｄ（もしくは９ｂ）に接続される
ものである。
【００４１】
これにより、従来、フレキシブルケーブル２０端部の導体露出部が両面に設けられたフレキシブルプリントケーブルや端部の導体露出部が一方の導体露出部と他方の導体露出部で異なる面に配置された高価なフレキシブルプリントケーブルを使用することでしか達成することが出来なかった以下の接続を、両端の導体露出部が同一面上に設けられた図１０のフレキシブルプリントケーブルを示す図に示した安価な片面フレキシブルプリントケーブルを用いることでも実現することが可能になった。
【００４２】
例えば、Ｕ字型フレキシブルプリントケーブルを図２に示した様に、コネクタ９ｂと接続される筐体側導体露出部２０ｃと隣接する部分のみ曲げ返し部３２を設け、コネクタ４ｄと接続されるＰＵＭ側導体露出部２０ｄと隣接する部分には曲げ返し部３２を設けない場合で、筐体側導体露出部２０ｃが下部筐体部２ｂと対向する場合、ＰＵＭ側導体露出部２０ｄはトレイ３の裏面とは対向しない側の面となる。したがって、コネクタ９ｂが筐体側回路基板９の下部筐体部２ｂと対向する面に実装されている場合はコネクタ９ｂに図１１（ｂ）に示す上接点タイプを使用し、コネクタ９ｂが筐体側回路基板９の下部筐体部と対向しない面に実装されている場合はコネクタ９ｂに図１１（ａ）に示す下接点タイプを使用する。また、コネクタ４ｄがＰＵＭ側回路基板４ｃのトレイ３と対向する面に実装されている場合はコネクタ４ｄに下接点タイプを使用することが可能となり、コネクタ４ｄがＰＵＭ側回路基板４ｃの下側筐体部２ｂと対向する面に実装されている場合はコネクタ４ｄに上接点タイプを使用することが可能となる。
【００４３】
また、Ｕ字型フレキシブルプリントケーブルをコネクタ９ｂと接続される筐体側導体露出部２０ｃと隣接する部分には曲げ返し部を設けず、コネクタ４ｄと接続されるＰＵＭ側導体露出部２０ｄと隣接する部分のみに曲げ返し部３２を設けた場合は、コネクタ４ｄ、９ｂの実装方法と接点タイプの選択は、上記の逆となることが可能となる。
【００４４】
さらにまた、Ｕ字型フレキシブルプリントケーブルをコネクタ９ｂと接続される筐体側導体露出部２０ｃと隣接する部分と、コネクタ４ｄと接続されるＰＵＭ側導体露出部２０ｄと隣接する部分の双方に曲げ返し部３２を設けることも可能であり、使用するコネクタの制限を受けることを回避することが可能となる場合があるため、コネクタの接点向きの制限に起因するコネクタ選択の自由度を増すことができる。この場合の構成としては、一例として、コネクタ９ｂ側が図４（ｃ）、コネクタ４ｄ側が図４（ｄ）の組み合わせとなり、第１の曲げ返し部が図４（ｃ）の曲げ返し部３２となり、第２の曲げ返し部３２が図４（ｄ）の曲げ返し部３２となる。
【００４５】
本実施の形態では、図５（ｂ）に示すように筐体側回路基板９に設けられたコネクタ９ｂと接続される筐体側導体露出部２０ｃと隣接する部分に曲げ返し部３２を設けることにより形成される腕部３３が、フレキシブルケーブル２０が接続されたコネクタ９ｂの上面（回路基板と接していない側の面）９ｄを通過して他方のコネクタ４ｄへ接続されるものとし、コネクタ９ｂには、図１１（ｂ）に示す上接点タイプのコネクタを用いた。
【００４６】
図５（ｂ）に示した以外にも、フレキシブルケーブル２０の曲げ返し部３２により形成される腕部３３からコネクタ９ｂの上面（回路基板と接していない側の面）９ｄを通過する腕部の延長部３４までの長さが長い場合でも良く、図４（ｂ）に示すようにＰＵＭ側回路基板４ｃに設けられたコネクタ４ｄと接続されるＰＵＭ側導体露出部２０ｄと隣接する部分に曲げ返し部３２を設けることにより形成される腕部３３が、フレキシブルケーブル２０が接続されたコネクタ４ｄの上面（回路基板と接していない側の面）４ｅを通過して他方のコネクタ９ｂに接続されても良い。図４（ｃ）は図４（ａ）に示すコネクタ９ｂの上面（回路基板と接していない側の面）９ｄを通る腕部３３の延長部３４の代わりに腕部
３３自身が通る場合であるが、フレキシブルケーブル２０の引き回しはこの場合でも良く、また、図４（ｄ）は図４（ｂ）に示すコネクタ４ｄの上面（回路基板と接していない側の面）４ｅを通る腕部３３の延長部３４の代わりに腕部３３自身が通る場合であるが、フレキシブルケーブル２０の引き回しはこの場合でも良い。
【００４７】
また、図４（ｃ），図４（ｄ），図５（ａ），図５（ｂ）に示したように、曲げ返し部３２を設けることにより形成される腕部３３の形状を略Ｕ字状もしくは略Ｖ字状とすることにより、本発明の構成を最も短い長さのフレキシブルケーブルで実現することが可能となるため好ましい。
【００４８】
さらにまた、図６に示すように、コネクタ９ｂと接続される筐体側導体露出部２０ｃと隣接する部分に曲げ返し部３２を設けることにより形成される腕部３３を有し、曲げ返し部３２または曲げ返し部３２を設けることにより形成される腕部３３または腕部３３の延長部３４の少なくとも一箇所が筐体側回路基板９に設けられた貫通孔３５を通り、フレキシブルケーブル２０が接続されたコネクタ９ｂの下面（回路基板と接している側の面）９ｅとフレキシブルケーブル２０とで筐体側回路基板９が挟み込まれるようにして他方のコネクタ４ｄに接続されるものでも良いし、貫通孔３５を通らずフレキシブルケーブル２０が接続されたコネクタ９ｂの下面（回路基板と接している側の面）９ｅとフレキシブルケーブル２０とで筐体側回路基板９が挟み込まれるようにして他方のコネクタ４ｄに接続されるものでも良いし、筐体側回路基板９がＰＵＭ側回路基板４ｃになっても良い。これらの場合、筐体側回路基板９の裏面やＰＵＭ側回路基板４ｃとフレキシブルケーブル２０が直接接触しないように、保護シート４２を回路基板９とフレキシブルケーブル２０の間に設けるのが好ましい。
【００４９】
次に、フレキシブルケーブル２０と下部筐体部２ｂの接着について説明する。
【００５０】
図４，図５は、本発明の一実施の形態における光ディスク装置のフレキシブルケーブルとコネクタの接続を示す断面図であり、図４はフレキシブルケーブル２０と下部筐体部２ｂを接着する接着部が無いものであり、図５はフレキシブルケーブル２０と下部筐体部２ｂを接着する接着部が有るものである。また、図７、図８は本発明の一実施の形態におけるフレキシブルプリントケーブルを示す図である。図７、図８において、２０ｃは筐体側導体露出部、２０ｄはＰＵＭ側導体露出部、４１ａ，４１ｂは接着層、４３は接着部材である。
【００５１】
本実施の形態のフレキシブルケーブル２０は、図７に示す接着層４１ａ、４１ｂを有しており、下部筐体部２ｂと接着される。接着層４１ａは、仮止め用の比較的面積が小さい両面テープを用い、接着層４１ｂは本固定用の比較的面積が大きい両面テープを用いる。
【００５２】
コネクタ９ｂは上接点タイプに限定されるものではなく、接着層４１ａ、４１ｂも固定に供することができれば良いため、両面テープに限定されるものではないが、工法および部品交換性を考慮すると両面テープが好ましい。
【００５３】
また、図５（ｂ）に示した以外にも、図５（ａ）に示したように接着部が接着層４１ｂだけでも良いし、図８に示したような接着部材４３を用いても良いし、図４（ａ）に示すように接着層４１ａ，４１ｂが全くない場合でも良い。
【００５４】
次に、フレキシブルケーブル２０が接続された回路基板を交換する必要性が生じた場合の回路基板交換方法について説明する。
【００５５】
図９は、本発明における光ディスク装置の回路基板交換時の流れを示した図である。
【００５６】
フレキシブルケーブル２０が接続された回路基板を交換する必要性が生じた場合、図９（ａ）に示した状態の筐体側回路基板９を図９（ｂ）の状態を経て、図９（ｃ）に示した状態へ略１８０°ひっくり返すことにより、コネクタのロック機構の解除が簡単にでき、筐体側回路基板９の交換を容易に行なうことが可能となる。ここで、図９（ａ）は前述の図５（ａ）の場合と同様の形態であり、この場合、フレキシブルケーブル２０と下部筐体部２ｂを接着する接着部２０ａの領域を筐体側回路基板９が回転できる量でとどめておく必要がある。好ましくは、図５（ｂ）に示すように接着部を接着層４１ａ、４１ｂとし、４１ａは仮止め用の比較的面積が小さい両面テープを用い、接着部４１ｂは本固定用の比較的面積が大きい両面テープを用いて、本固定用の接着層４１ｂを設ける範囲は筐体側回路基板９が回転できる量でとどめる。
【００５７】
ここで、回路基板の交換については筐体側回路基板９について述べたが、ＰＵＭ側回路基板４ｃも同様の内容となる。
【００５８】
次に、フレキシブルケーブルの曲げ返し部により、フレキシブルケーブルが重なって厚みが増した部分を筐体側に逃がす、逃がし部を設ける場合について説明する。
【００５９】
図２は本発明の一実施の形態における光ディスク装置の正面図であり、上部筐体部を除去した図である。図２において、１は光ディスク装置、２は筐体、３はトレイ、４は光ピックアップモジュール、４ａはスピンドルモータ、４ｃはＰＵＭ側回路基板、５は光ピックアップ、６はレール部、７はレール、８はレールガイド、９は筐体側回路基板、２０はフレキシブルケーブルである。
【００６０】
フレキシブルケーブル２０を折り曲げて二重になっている部分やコネクタとフレキシブルケーブルが重なっている部分は厚みが増すので、この二重になっている部分を少なくとも含んで対向する貫通孔を、図２に破線Ｃで示すように、筐体２の下部筐体部２ｂに設けても良い。こうすることによって、二重になって厚みが増している部分をこの貫通孔に落とし込むことにより、二重になっている部分が他のフレキシブルケーブル２０の表面に対して隆起することを低減することができる。なおこの貫通孔に筐体２の外側からシートやシールを貼って塞いでいても良い。こうすることによって、下部筐体部２ｂの厚み分、フレキシブルケーブル２０の二重になって厚みが増している部分をこの貫通孔に落とし込むことができ、かつこの貫通孔からゴミなどが筐体２内に入り込むことを防ぐことができる。シートやシールは絶縁性のものであっても導電性のものであっても良いが、導電性のものを使用した場合、シールドとして作用し、光ディスク装置の不要輻射がこの貫通孔から漏れることを低減することができる。また防塵性について要求されない場合は、このシートやシールは導電性のメッシュであっても良い。また、これらのシールやシートを多層に構成したものであっても良い。また、貫通孔ではなく筐体２に凹部を設けても良い。この場合凹部は、打ち出しにて形成するものであっても、厚みを薄くすることによって形成するものであっても良い。
【００６１】
また、本実施の形態１では、曲げ返し部の曲げ返し回数を１回としているが、２回以上曲げ返したものであっても良い。但し、この場合、フレキシブルケーブルを任意の位置に固定する接着剤やフックなどの嵌合部が必要となる。例えば、筐体側の腕部３３の筐体側回路基板９の近傍で１回の折り曲げを追加することにより、コネクタ９ｂの向きを変えることができる。さらにこのように折り曲げ回数を奇数回にすることにより、筐体側導体露出部２０ｃとＰＵＭ側導体露出部２０ｄの向きを逆にすることができる為、前述のようなコネクタを取り付ける基板の面の選択やコネクタの接点タイプの選択に制限があり、筐体側導体露出部２０ｃとＰＵＭ側導体露出部２０ｄの向きを逆にする必要がある場合に効果的である。
【００６２】
なお、本実施の形態１では、筐体側導体露出部２０ｃは筐体側回路基板９に接続されているが、筐体２に取り付けた電子部品に直接接続または結線されたものであっても良い。例えば、筐体側回路基板９の回路をＰＵＭ側回路基板４ｃに併せて搭載して筐体側回路基板９を無くし、筐体２に設けられ外部と接続するコネクタに筐体側導体露出部２０ｃを結線するものであっても良い。
【産業上の利用可能性】
【００６３】
本発明は、製品設計における部品選択の自由度が増し、かつ安価な部品を使用することができ、光ピックアップにより光ディスクに対して情報の記録又は再生の少なくとも一方を行なう光ディスク装置などに適応可能である。
【図面の簡単な説明】
【００６４】
【図１】本発明の一実施の形態における光ディスク装置の外観図
【図２】本発明の一実施の形態における光ディスク装置の正面図
【図３】本発明の一実施の形態における光ディスク装置のフレキシブルケーブルの外観図
【図４】本発明の一実施の形態における光ディスク装置のフレキシブルケーブルとコネクタの接続を示す断面図
【図５】本発明の一実施の形態における光ディスク装置のフレキシブルケーブルとコネクタの接続を示す断面図
【図６】本発明の一実施の形態における光ディスク装置のフレキシブルケーブルとコネクタの接続を示す断面図
【図７】本発明の一実施の形態におけるフレキシブルプリントケーブルを示す図
【図８】本発明の一実施の形態におけるフレキシブルプリントケーブルを示す図
【図９】本発明における光ディスク装置の回路基板交換時の流れを示した図
【図１０】フレキシブルプリントケーブルを示す図
【図１１】コネクタの接点方向を表した図
【図１２】従来のトレイ方式光ディスク装置の外観図
【図１３】従来のトレイ方式光ディスク装置の図
【図１４】従来の光ディスク装置のフレキシブルケーブルとコネクタを示す断面図
【符号の説明】
【００６５】
１    光ディスク装置
２    筐体
２ａ    上部筐体部
２ｂ    下部筐体部
３    トレイ
４    光ピックアップモジュール
４ａ    スピンドルモータ
４ｂ    ディスク装着部
４ｃ    ＰＵＭ側回路基板
４ｄ    コネクタ
４ｅ    上面
４ｆ    下面
５    光ピックアップ
６    レール部
７    レール
８    レールガイド
９    筐体側回路基板
９ａ    コネクタ
９ｂ    コネクタ
９ｃ    逃がし部
９ｄ    上面
９ｅ    下面
１０    フレキシブルプリントケーブル
１０ａ    折り返し部
２０    フレキシブルケーブル
２０ａ    接着部
２０ｂ    ＰＵＭ側腕部
２０ｃ    筐体側導体露出部
２０ｄ    ＰＵＭ側導体露出部
２０ｅ    ＰＵＭ側端部
２０ｆ    折り返し部
３２    曲げ返し部
３３    腕部
３４    延長部
３５    貫通孔
４１ａ，４１ｂ    接着層
４２    保護シート
４３    接着部材
【図１】
2005339707.tif 000003
【図２】
2005339707.tif 000004
【図３】
2005339707.tif 000005
【図４】
2005339707.tif 000006
【図５】
2005339707.tif 000007
【図６】
2005339707.tif 000008
【図７】
2005339707.tif 000009
【図８】
2005339707.tif 000010
【図９】
2005339707.tif 000011
【図１０】
2005339707.tif 000012
【図１１】
2005339707.tif 000013
【図１２】
2005339707.tif 000014
【図１３】
2005339707.tif 000015
【図１４】
2005339707.tif 000016